(57)【要約】【課題】網戸の框体を構造物の枠体に容易に係合させやすい建具を提供する。【解決手段】建具は、構造物の開口部に設けられる枠体と、枠体の内部に設けられた網戸と、を備え、網戸は、枠体に取り付けられる框体と、框体に連結された網材７０と、を有し、框体には、枠体に設けられた枠側取付部４７ａと係合可能な框側取付部５５が見込み方向において少なくとも１箇所に設けられ、框体に係合されるアタッチメント８を備え、アタッチメント８は、框体に設けられた框側係合部５９と係合可能な第一係合部８３と、枠体に設けられた枠側係合部４９と係合可能な第二係合部８８と、を有することを特徴とする。【選択図】図４
2018105069.tif 000002
【特許請求の範囲】
【請求項１】
構造物の開口部に設けられる枠体と、
該枠体の内部に設けられた網戸と、を備え、
該網戸は、
前記枠体に取り付けられる框体と、
該框体に連結された網材と、を有し、
前記框体には、前記枠体に設けられた枠側取付部と係合可能な框側取付部が見込み方向において少なくとも１箇所に設けられていることを特徴とする建具。
【請求項２】
前記框体に係合されるアタッチメントを備え、
該アタッチメントは、
前記框体に設けられた框側係合部と係合可能な第一係合部と、
前記枠体に設けられた枠側係合部と係合可能な第二係合部と、を有する請求項１に記載の建具。
【請求項３】
前記アタッチメントは、前記框体を屋外側に押圧する押圧部を有し、前記框体よりも屋内側に配置されている請求項２に記載の建具。
【請求項４】
前記アタッチメントは、
前記第一係合部と前記第二係合部とを連結する連結部と、
該連結部に設けられた突起と、を有し、
該突起が屋内側から屋外側に押圧されることにより、前記框側係合部と前記第一係合部との係合、及び前記枠側係合部と前記第二係合部との係合が解除される請求項２または３に記載の建具。
【請求項５】
前記第一係合部及び前記框側係合部は、見込み方向に沿って配置され、
前記第一係合部は、前記框側係合部よりも見付け方向の外側に配置されている請求項２から４のいずれか一項に記載の建具。
【発明の詳細な説明】
【技術分野】
【０００１】
本発明は、構造物の開口部に設けられる建具に関するものである。
【背景技術】
【０００２】
従来から、構造物の開口部に設置される建具として、開口部に枠体が取り付けられ、枠体内に障子及び網戸が納められたものが広く知られている。
【０００３】
例えば、縦枠の一方側に固定された固定框と、縦枠の他方側に水平移動可能に設けられた可動框と、固定框と可動框との間に蛇腹状に設けられた網材と、を備えた網戸が提案されている（下記特許文献１参照）。この網戸では、固定框に設けられ見込み方向に離間して配置された一対の爪状の係合部が、それぞれ縦枠に係合されることで、固定框が縦枠に取り付けられている。
【先行技術文献】
【特許文献】
【０００４】
【特許文献１】特開２０１５−２２７５６７号公報
【発明の概要】
【発明が解決しようとする課題】
【０００５】
しかしながら、上記の特許文献１に記載された網戸では、固定框を縦枠に取り付ける際に、固定框に網材が取り付けられた状態で、固定框の一対の爪状の係合部を、それぞれ縦枠に係合させなければならないため、固定框の位置決めや取り付けがしづらいという問題点がある。さらに、一対の係合部を縦枠に係合させる際に、固定框に当て木をし、この当て木をハンマー等の工具でたたいて係合させるため、係合箇所が見づらかったり、狭い箇所の作業のため、作業がしづらかったりするという問題点もある。
【０００６】
そこで、本発明は、上記事情に鑑みてなされたものであり、網戸の框体を構造物の枠体に容易に係合させやすい建具を提供する。
【課題を解決するための手段】
【０００７】
上記目的を達成するために、本発明は以下の手段を採用している。
すなわち、本発明に係る建具は、構造物の開口部に設けられる枠体と、該枠体の内部に設けられた網戸と、を備え、該網戸は、前記枠体に取り付けられる框体と、該框体に連結された網材と、を有し、前記框体には、前記枠体に設けられた枠側取付部と係合可能な框側取付部が見込み方向において少なくとも１箇所に設けられていることを特徴とする。
【０００８】
このように構成された建具では、網戸の框体に設けられた框側取付部を、枠体に設けられた枠側取付部に係合させる。框側取付部と枠側取付部との係合箇所は見込み方向において少なくとも１箇所であるため、框体を枠体に容易に係合させやすい。
【０００９】
また、本発明に係る建具は、前記框体に係合されるアタッチメントを備え、該アタッチメントは、前記框体に設けられた框側係合部と係合可能な第一係合部と、前記枠体に設けられた枠側係合部と係合可能な第二係合部と、を有することが好ましい。
【００１０】
このように構成された建具では、アタッチメントに設けられた第一係合部を框体に設けられた框側係合部に係合させることで、アタッチメントは框体に取り付けられる。また、アタッチメントに設けられた第二係合部を枠体に設けられた枠側係合部に係合させることで、アタッチメントと一体となった框体は枠体に取り付けられる。框体の框側取付部を枠体の枠側取付部に係合させた後に、アタッチメントを枠体に係合させて、アタッチメントを框体に係合させるように、係合作業を段階的に行うことができる。よって、一度に複数箇所の係合作業を行う際には係合させるために大きな力を要しハンマー等の工具が必要になるが、本発明では段階的に係合作業を行えばよいため、手で作業を行え、狭い箇所での作業性が良い。
【００１１】
また、本発明に係る建具では、前記アタッチメントは、前記框体を屋外側に押圧する押圧部を有し、前記框体よりも屋内側に配置されていてもよい。
【００１２】
このように構成された建具では、アタッチメントに設けられた押圧部が框体を屋外側に押圧することで、框体の框側取付部と枠体の枠側取付部とがより確実に係合される。
【００１３】
また、本発明に係る建具では、前記アタッチメントは、前記第一係合部と前記第二係合部とを連結する連結部と、該連結部に設けられた突起と、を有し、該突起が屋内側から屋外側に押圧されることにより、前記框側係合部と前記第一係合部との係合、及び前記枠側係合部と前記第二係合部との係合が解除されてもよい。
【００１４】
このように構成された建具では、アタッチメントに設けられた突起を屋内側から屋外側に押圧することにより、框側係合部と第一係合部との係合、及び枠側係合部と第二係合部との係合が解除さる。よって、アタッチメントの突起を屋外側に押すことで、アタッチメントは框体及び枠体から取り外され、網材の交換等ができるため、メンテナンスの際の作業性がよい。
【００１５】
また、本発明に係る建具では、前記第一係合部及び前記框側係合部は、見込み方向に沿って配置され、前記第一係合部は、前記框側係合部よりも見付け方向の外側に配置されていてもよい。
【００１６】
このように構成された建具では、アタッチメントに設けられ框体の框側係合部と係合された第一係合部は、框側係合部よりも見付け方向の外側に配置されている。よって、アタッチメントの第一係合部に物が引っかかったりして、アタッチメントが外れてしまうことが抑制される。
【発明の効果】
【００１７】
本発明に係る建具によれば、網戸の框体を構造物の枠体に容易に係合させることができる。
【図面の簡単な説明】
【００１８】
【図１】本発明の一実施形態に係る建具を屋内側から見た正面図である。
【図２】図１をＸ−Ｘで切断した鉛直断面図である。
【図３】図２をＹ−Ｙで切断した水平断面図である。
【図４】図３のＡ部拡大図である。
【図５】本発明の一実施形態に係る建具のアタッチメントの斜視図であり、（ａ）障子縦枠側且つ屋内側から見た斜視図であり、（ｂ）網材側且つ屋外側から見た斜視図である。
【図６】本発明の一実施形態の変形例に係る建具を示し、図３に相当する図面のＡ部拡大図である。
【発明を実施するための形態】
【００１９】
以下、本発明の一実施形態による建築物の開口部に設けられる建具を図１から図５に基づいて説明する。
図１は、本発明の一実施形態に係る建具を屋内側から見た正面図である。図２は、図１をＸ−Ｘで切断した鉛直断面図である。図３は、図２をＹ−Ｙで切断した水平断面図である。
図１から図３に示すように、建具１００は、開口部Ｗに設けられ、四角形枠状に形成された障子枠体１と、障子枠体１内に嵌め込まれた障子２及び網戸体３と、を備えている。網戸体３は、障子２よりも屋内側に配置されている。
なお、以下の説明において、屋外側と屋内側とを結ぶ方向を見込み方向と称し、障子２の上下方向と交差して障子２に沿う左右方向を見付け方向と称する。また、見付け方向において、障子２の中心に向かう方向を見付け方向の内側とし、反対方向を見付け方向の外側と称することがある。
【００２０】
障子枠体１は、水平方向に延在する障子上枠１１及び障子下枠１２と、障子上枠１１の両端部と障子下枠１２の両端部とをそれぞれ連結し上下方向に延在する障子縦枠１３と、を有している。
【００２１】
障子２は、四方枠状に形成された障子框体２０と、障子框体２０内に納められた複層ガラス２９と、を有している。
【００２２】
障子框体２０は、水平方向に延在する障子上框２１及び障子下框２２と、障子上框２１の両端部と障子下框２２の両端部とをそれぞれ連結し上下方向に延在する障子縦框２３と、を有している。
【００２３】
図２に示すように、障子上框２１は、屋外側に設けられ金属製の金属上框２１Ａと、屋内側に設けられ樹脂製の樹脂上框２１Ｂと、を有している。金属上框２１Ａと樹脂上框２１Ｂとは連結されている。
【００２４】
障子下框２２は、屋外側に設けられ金属製の金属下框２２Ａと、屋内側に設けられ樹脂製の樹脂下框２２Ｂと、を有している。金属下框２２Ａと樹脂下框２２Ｂとは連結されている。
【００２５】
図３に示すように、障子縦框２３は、屋外側に設けられ金属製の金属縦框２３Ａと、屋内側に設けられ樹脂製の樹脂縦框２３Ｂと、を有している。金属縦框２３Ａと樹脂縦框２３Ｂとは連結されている。
【００２６】
図２及び図３に示すように、障子上框２１、障子下框２２及び障子縦框２３には、それぞれ断面略コの字状のガラス保持溝２６が形成されている。複層ガラス２９の四辺の端部は、断面略Ｕ字状のグレージングチャンネル２７で介して、ガラス保持溝２６に収容されている。
本実施形態に係る建具１００は、障子枠体１内に納められた障子２を、吊元側の障子縦框２３回りに回転させることで、屋外側に開閉可能な縦辷り出し窓である。
【００２７】
障子上枠１１、障子下枠１２及び障子縦枠１３には、屋内側に、網戸保持部２８が形成されている。網戸体３は、網戸保持部２８に固定され四方枠状に形成され樹脂製の網戸枠体（枠体）４と、障子枠体１内に納められた網戸本体（網戸）５と、を有している。
【００２８】
網戸枠体４は、水平方向に延在する網戸上枠４１及び網戸下枠４２と、網戸上枠４１の両端部と網戸下枠４２の両端部とをそれぞれ連結し上下方向に延在する網戸縦枠４３と、を有している。
【００２９】
網戸本体５は、四方枠状に形成された網戸框体（框体）５０と、網戸框体５０内に納められた網材７０と、を有している。
【００３０】
網戸框体５０は、水平方向に延在する網戸上框５１及び網戸下框５２と、網戸上框５１の両端部と網戸下框５２の両端部とをそれぞれ連結し上下方向に延在する網戸固定框５３及び網戸可動框６６と、を有している。図３に示すように、網戸可動框６６を水平方向に沿って移動させることで、網材７０の開閉が可能とされている。
【００３１】
次に、網戸固定框５３及び網材７０が網戸縦枠４３に固定される構成について説明する。
図４は、図３のＡ部拡大図である。
図４に示すように、網戸縦枠４３は、障子縦枠１３の上下方向に沿って略全長に配置されている。網戸縦枠４３は、見込み方向に沿って配置される網戸見込み面部４６と、網戸見込み面部４６の屋外側の端部から見付け方向の内側に延びる外側見付け面部４７と、外側見付け面部４７と対向して設けられた内側見付け面部４８と、を有している。網戸縦枠４３は、障子縦枠１３に沿って上下方向に延び、水平断面で略コ字状をなしている。
【００３２】
網戸見込み面部４６は、障子縦枠１３の見込み方向に延びる障子見込み面部１４の見付け方向の内側に配置されている。外側見付け面部４７は、障子見込み面部１４から見付け方向の内側に延びる外側延出壁部１５に係合されている。内側見付け面部４８は、障子見込み面部１４から見付け方向の内側に延びる外側延出壁部１５よりも屋内側に配置された内側延出壁部１６に係合されている。このようにして、網戸縦枠４３は、障子縦枠１３に取り付けられている。
【００３３】
網戸固定框５３は、網戸縦枠４３の上下方向に沿って略全長に配置されている。網戸固定框５３は、網戸見込み面部４６の見付け方向の内側に配置される底板部５４と、底板部５４から見付け方向の外側に延びる係合爪部（框側取付部）５５及び屋内側壁部５６と、を有している。係合爪部５５は、底板部５４の屋外側の端部から延びている。係合爪部５５は、網戸固定框５３の上下方向に沿って略全長に配置されている。屋内側壁部５６は、係合爪部５５よりも屋内側に配置されている。
【００３４】
係合爪部５５の先端部は、係合突起５５ａが設けられている。係合突起５５ａは、網戸縦枠４３の外側見付け面部４７から屋内側に延びる第一支持壁部（枠側取付部）４７ａに係合されている。これにより、網戸固定框５３の網戸縦枠４３に対する平面視における位置決めがされている。
【００３５】
底板部５４の屋外側の端部５４ａと係合爪部５５とで、網戸縦枠４３の第一支持壁部４７ａを挟み込んでいる。底板部５４の屋内側の端部５４ｂは、網戸縦枠４３の内側見付け面部４８から屋内側に延びる第二支持壁部４７ｂに当接している。これにより、網戸固定框５３の見付け方向の外側への移動が規制されている。
【００３６】
底板部５４の屋外側の端部５４ａには、見付け方向の内側に向かって延びる屋外側板部５７が設けられている。底板部５４の屋内側の端部５４ｂには、見付け方向の内側に向かって延びる屋内側板部５８が設けられている。
【００３７】
屋外側板部５７の端部には、屋内側に向かって延びる係合板部（框側係合部）５９が設けられている。屋内側板部５８の端部には、屋外側に向かって延びる支持板部６０が設けられている。
【００３８】
網材７０の端部には、取付板７１が設けられている。取付板７１は、網戸固定框５３の底板部５４、屋外側板部５７、係合板部５９、屋内側板部５８及び支持板部６０により形成された空間Ｓ内に配置されている。
【００３９】
網戸固定框５３は、アタッチメント８により網戸縦枠４３に取り付けられている。
図５は、アタッチメント８の斜視図であり、（ａ）障子縦枠１３側且つ屋内側から見た斜視図であり、（ｂ）網材７０側且つ屋外側から見た斜視図である。
図５に示すアタッチメント８は、網戸固定框５３の上下方向に沿って複数箇所、例えば２，３箇所に設けられている（図２参照）。
【００４０】
図４及び図５に示すように、アタッチメント８は、見込み方向に沿って配置される基部（連結部）８１と、基部８１の屋外側の端部から見付け方向の外側に延びる延出壁部８２と、延出壁部８２の端部から屋外側に延びる係合壁部（第一係合部）８３と、を有している。
【００４１】
基部８１は、網戸固定框５３の支持板部６０の見付け方向の内側の面に当接している。係合壁部８３は、網戸固定框５３の係合板部５９の見付け方向の外側の面に当接している。基部８１が網戸固定框５３の支持板部６０の見付け方向の内側の面に当接しつつ、係合壁部８３が網戸固定框５３の係合板部５９の見付け方向の外側の面に当接しているため、係合壁部８３と網戸固定框５３の係合板部５９との係合が外れることがない。
【００４２】
基部８１の屋外側の端部には、見付け方向の内側に延びる突起８４が設けられている。
【００４３】
基部８１の見込み方向の中間部には、見付け方向の外側に突出する突出壁部８５が設けられている。突出壁部８５は、網材７０に設けられた取付板７１を支持している。
【００４４】
基部８１の屋内側の端部近傍には、見付け方向の外側に延びる弾性壁部（押圧部）８６が設けられている。弾性壁部８６は、見付け方向の外側に向かうにしたがって次第に屋外側を向くように延びている。弾性壁部８６は、基部８１との接続部分を起点として、先端部が屋外側を向く初期位置から、網戸固定框５３の屋内側板部５８に当接することで、先端部を屋内側に向けるように弾性変形している。
【００４５】
基部８１の屋内側の端部には、網戸縦枠４３の内側見付け面部４８の屋外側の面に沿って配置される端部壁部８７が設けられている。また、基部８１の屋内側の端部には、見付け方向の内側に延びる延出係合部（第二係合部）８８が設けられている。
【００４６】
端部壁部８７は、網戸縦枠４３の内側見付け面部４８の屋外側の面に当接している。延出係合部８８は、網戸縦枠４３の内側見付け面部４８の屋外側の面、及び内側見付け面部４８の端部から屋外側に延びる係合端部（枠側係合部）４９に当接している。これにより、アタッチメント８は、屋内側への移動が規制されつつ、弾性壁部８６が網戸固定框５３を網戸縦枠４３に対して屋外側に押圧している。
本実施形態では、アタッチメント８は樹脂で構成されている。
【００４７】
次に、網戸固定框５３及び網材７０を網戸縦枠４３に取り付ける取り付け方法について説明する。
作業者は、屋内側から、網戸固定框５３の係合爪部５５を、網戸縦枠４３の第一支持壁部４７ａに係合させる。これにより、網戸固定框５３の網戸縦枠４３に対する平面視における位置決めがされる。
【００４８】
次に、網材７０の取付板７１を、網戸固定框５３の底板部５４、屋外側板部５７、係合板部５９、屋内側板部５８及び支持板部６０により形成された空間Ｓ内に配置する。そして、屋内側からアタッチメント８の係合壁部８３を空間Ｓ内に挿入させて、弾性壁部８６を網戸固定框５３の屋内側板部５８に近接させる方向にアタッチメント８を回転（移動）させる。アタッチメント８の延出係合部８８が網戸縦枠４３の内側見付け面部と係合端部４９との隅部に嵌り込むと、アタッチメント８の係合壁部８３が網戸固定框５３の係合板部５９に係合する。この際に、アタッチメント８の弾性壁部８６は、網戸固定框５３の屋内側板部５８に当接して、基部８１との接続部分を起点として、先端部が屋外側を向く初期位置から、先端部を屋内側に向けるように撓り弾性変形して、網戸固定框５３を網戸縦枠４３に対して屋外側に押圧する。これにより、アタッチメント８、網戸固定框５３及び網材７０は、網戸縦枠４３に取付けられる。
【００４９】
網材７０の交換等のメンテナンスで網材７０を取り外す際には、作業者は、屋内側からアタッチメント８の突起８４に指をかけて、突起８４を屋外側に押す。すると、アタッチメント８の延出係合部８８を網戸縦枠４３の係合端部４９に係合が外れて、アタッチメント８の係合壁部８３と網戸固定框５３の係合板部５９との係合が外れ、アタッチメント８が網戸固定框５３から外れる。これにより、網材７０の取付板７１を網戸固定框５３の空間Ｓ部から取り外すことができる。
【００５０】
このように構成された建具１００では、網戸本体５の網戸固定框５３に設けられた係合爪部５５を、網戸縦枠４３に設けられた第一支持壁部４７ａに係合させることで、網戸本体５の網戸固定框５３は構造物の開口部Ｗに設けられた網戸縦枠４３に平面視における位置決めされる。係合爪部５５と第一支持壁部４７ａとの係合箇所は見込み方向において１箇所のみであるため、網戸固定框５３を網戸縦枠４３に容易に係合させやすい。
【００５１】
また、アタッチメント８に設けられた係合壁部８３を網戸固定框５３に設けられた係合板部５９に係合させることで、アタッチメント８は網戸固定框５３に取り付けられる。また、アタッチメント８に設けられた延出係合部８８を網戸縦枠４３に設けられた係合端部４９に係合させることで、アタッチメント８と一体となった網戸固定框５３は網戸縦枠４３に取り付けられる。網戸固定框５３の係合爪部５５を網戸縦枠４３の第一支持壁部４７ａに係合させて網戸固定框５３を網戸縦枠４３に係合させた後に、アタッチメント８を網戸縦枠４３に係合させて、アタッチメント８を網戸固定框５３に係合させるように、係合作業を段階的に行うことができる。よって、一度に複数箇所の係合作業を行う際には係合させるために大きな力を要しハンマー等の工具が必要になるが、本発明では段階的に係合作業を行えばよいため、手で作業を行え、狭い箇所での作業性が良い。また、段階的に係合させるため、寸法精度により係合具合が硬い場合でも、係合を容易に行うことができる。
【００５２】
また、アタッチメント８に設けられた弾性壁部８６が網戸固定框５３を屋外側に押圧することで、網戸固定框５３の係合爪部５５と網戸縦枠４３の第一支持壁部４７ａとがより確実に係合される。
【００５３】
また、アタッチメント８に設けられた突起８４を屋内側から屋外側に押圧することにより、係合板部５９と係合壁部８３との係合、及び係合端部４９と延出係合部８８との係合が解除さる。よって、アタッチメント８の突起８４を屋外側に押すことで、アタッチメント８は網戸固定框５３及び網戸縦枠４３から取り外され、網材７０の交換等ができるため、メンテナンスの際の作業性がよい。
【００５４】
また、アタッチメント８に設けられ網戸固定框５３の係合板部５９と係合された係合壁部８３は、係合板部５９よりも見付け方向の外側に配置されている。よって、アタッチメント８の係合壁部８３に物が引っかかったりして、アタッチメント８が外れてしまうことが抑制される。
【００５５】
なお、本発明に係る建具１００は、上述した実施形態に係る建具１００に限定されるものではなく、本発明の要旨を逸脱しない範囲で適宜の変更や置換等が可能である。
以下に、本発明の実施形態の変形例について説明するが、上述した実施形態で説明した部品や部材等と同一または同様なものについては、同一の符号を用いて説明する。
【００５６】
（変形例）
次に、本発明の一実施形態の変形例に係る建具について、主に図６に基づいて説明する。
図６は、本発明の一実施形態の変形例に係る建具を示し、図３に相当する図面のＡ部拡大図である。
図６に示すように、本変形例において、アタッチメント９では、基部８１には、見付け方向の外側に突出する規制壁部９１が設けられている。規制壁部９１は、突出壁部８５よりも屋内側に配置されている。規制壁部９１は、網戸固定框５３の支持板部６０の屋外側に当接している。
【００５７】
基部８１の屋内側の端部には、見付け方向の外側に延びる規制体９２が設けられている。規制体９２は、網戸固定框５３の屋内側板部５８の屋内側に当接または僅かに隙間を有して配置されている。アタッチメント８の規制壁部９１及び規制体９２は、網戸固定框５３の屋内側板部５８及び屋内側板部５８の端部に設けられた支持板部６０を見込み方向に挟み込んでいる。これにより、アタッチメント８の見込み方向の移動が規制されている。
【００５８】
なお、上述した実施の形態において示した各構成部材の諸形状や組み合わせ等は一例であって、本発明の主旨から逸脱しない範囲において設計要求等に基づき種々変更可能である。
【００５９】
例えば、上記に示す実施形態では、網戸固定框５３は網戸縦枠４３に取り付けられているが、障子縦枠１３に直接取り付けられていてもよい。また、網戸固定框５３は、上枠、下枠等に取り付けられていてもよい。
【００６０】
また、上記に示す実施形態では、係合爪部（框側取付部）５５は、網戸固定框５３の上下方向に沿って略全長に配置されているが、本発明はこれに限られない。框側取付部が上下方向で分断されている構成、換言すると複数の框側取付部が上下方向に間隔を有して配置されていてもよい。
【００６１】
また、枠側取付部と框側取付部とは見込み方向において２箇所に設けられている場合には、２箇所の框側取付部の係合突起がともに屋外側を向くように設けられ、係合しやすい構成であってもよい。また、係合突起は、上下方向に連続して設けられておらず、上下方向に分断されて設けられた構成であってもよい。
【００６２】
また、上記に示す実施形態では、建具１００として縦辷り出し窓を例に挙げて説明したが、框ドア等の他の建具１００にも適用可能である。
【符号の説明】
【００６３】
１…障子枠体
２…障子
３…網戸体
４…網戸枠体（枠体）
５…網戸本体（網戸）
８，９…アタッチメント
１１…障子上枠
１２…障子下枠
１３…障子縦枠
１４…障子見込み面部
１５…外側延出壁部
１６…内側延出壁部
２０…障子框体
２１…障子上框
２２…障子下框
２３…障子縦框
２６…ガラス保持溝
２８…網戸保持部
２９…複層ガラス
４１…網戸上枠
４２…網戸下枠
４３…網戸縦枠
４６…網戸見込み面部
４７…外側見付け面部
４７ａ…第一支持壁部（枠側取付部）
４７ｂ…第二支持壁部
４８…内側見付け面部
４９…係合端部（枠側係合部）
５０…網戸框体（框体）
５１…網戸上框
５２…網戸下框
５３…網戸固定框
５４…底板部
５５…係合爪部（框側取付部）
５６…屋内側壁部
５７…屋外側板部
５８…屋内側板部
５９…係合板部（框側係合部）
６０…支持板部
６６…網戸可動框
７０…網材
７１…取付板
８１…基部（連結部）
８２…延出壁部
８３…係合壁部（第一係合部）
８４…突起
８５…突出壁部
８６…弾性壁部（押圧部）
８７…端部壁部
８８…延出係合部（第二係合部）
１００…建具
Ｓ…空間
Ｗ…開口部
【図１】
2018105069.tif 000003
【図２】
2018105069.tif 000004
【図３】
2018105069.tif 000005
【図４】
2018105069.tif 000006
【図５】
2018105069.tif 000007
【図６】
2018105069.tif 000008